(57)【要約】【課題】袋とじされた複数の書類をコンパクトに収容するとともに複数の書類への押印を容易にする押印用袋とじ書類入れを提供する。【解決手段】表紙と裏表紙とを含む複数枚の用紙が袋とじされた袋とじ部と、袋とじ部の一部を含む裏表紙側に設定された第一押印箇所１４と、表紙と裏表紙とは異なる用紙に設定された第二押印箇所とを備える書類１を複数収容する押印用書類入れ２において、書類を開いて第一押印箇所１４を露出させるとともに反対面に第二押印箇所を露出させて収容する収容部２０が複数連結され、収容部２０は書類１を閉じた閉状態と開いた押印状態とに開閉できる関節２０２を有する。収容部２０は書類１を収容可能であるため、複数の書類をコンパクトかつ持ち運び可能に収容することができる。押印状態では第一押印箇所１４及び第二押印箇所を露出させることができるため、複数の用紙からなる書類１における複数箇所の押印を容易に行うことができる。【選択図】図６
2012066395.tif 000002
【特許請求の範囲】
【請求項１】
表紙と裏表紙とを含む複数枚の用紙が袋とじされた袋とじ部と、該袋とじ部の一部を含む該裏表紙側に設定された第一押印箇所と、該表紙と該裏表紙とは異なる該用紙に設定された第二押印箇所と、を備える書類を複数収容する押印用書類入れであって、
該書類を開いた状態で該第一押印箇所を露出させるとともに反対面に該第二押印箇所を露出させた状態で収容する収容部と、
該収容部を複数連結する連結部と、
を備え、
該収容部は、収容した該書類を閉じた閉状態と開いた押印状態とに開閉可能にする関節を有する押印用書類入れ。
【発明の詳細な説明】
【技術分野】
【０００１】
本発明は、押印すべき袋とじされた書類を複数収容する押印用書類入れに関する。
【背景技術】
【０００２】
一般に、企業や個人間で契約を結ぶ場合には、紙による契約書が作成され代表者によって代表者印が押印される。用紙が２枚以上になる契約書は、改ざん防止のために袋とじされることが多く、袋とじされた契約書は、契約書の署名捺印欄に加えて、裏表紙の綴じ目（袋とじ部）に契印が押印される。
【０００３】
担当者が作成した契約書は、代表者に届けられた後、押印されるまでの間、一時的に例えば机上に積み重ねられたり、特許文献１で開示されるような書類整理箱などに収容されたりする。
【先行技術文献】
【特許文献】
【０００４】
【特許文献１】実開平０３-０５１４７１号公報
【発明の概要】
【発明が解決しようとする課題】
【０００５】
ところが、複数の管轄を主管する代表者であれば、日々押印すべき書類も膨大な数となり、積み重ねられた書類の束や書類整理箱から各書類を手に取り目を通して押印すべき頁を開いて押印するのには非常に時間がかかる。
【０００６】
また、複数の書類を積み重ねて保管すると、積み重ねた書類の山が崩れて順番がばらばらになってしまったり、あるいは一部が紛失してしまったりしかねない。その上、持ち運びにも不都合である。
【０００７】
本発明は、上記事実に鑑みてなされたもので、その目的は、押印すべき袋とじされた複数の書類をコンパクトに収容するとともに複数の書類への押印を容易にする押印用袋とじ書類入れを提供することにある。
【課題を解決するための手段】
【０００８】
本発明は、表紙と裏表紙とを含む複数枚の用紙が袋とじされた袋とじ部と、袋とじ部の一部を含む裏表紙側に設定された第一押印箇所と、表紙と該裏表紙とは異なる用紙に設定された第二押印箇所とを備える書類を複数収容する押印用書類入れに関し、書類を開いた状態で第一押印箇所を露出させるとともに反対面に第二押印箇所を露出させた状態で収容する収容部と、収容部を複数連結する連結部とを備え、収容部は、収容した書類を閉じた閉状態と開いた押印状態とに開閉可能にする関節を有する。
【発明の効果】
【０００９】
本発明に係る押印用書類入れは、１の書類をそれぞれ収容する収容部を複数備え、各収容部においては袋とじされた書類を収容可能であるため、複数の書類がばらばらになることなくコンパクトに収容することができ、持ち運びも可能となる。また、押印状態と収容状態とに切り替え可能であり、押印状態では第一押印箇所及び第二押印箇所を露出させることができるため、複数の用紙からなる書類における複数箇所の押印を容易に行うことができる。さらに、書類発行者と押印者との間でのやり取りのための通い箱のように使用することができ、書類管理が容易になる。
【図面の簡単な説明】
【００１０】
【図１】袋とじされた書類の一例を示す斜視図である。
【図２】同袋とじされた書類における第一押印箇所を示す平面図である。
【図３】同袋とじされた書類における第二押印箇所を示す平面図である。
【図４】押印用書類入れの第一の例を示す斜視図である。
【図５】同押印用書類入れの収容部を開いた状態を示す平面図である。
【図６】同押印用書類入れの押印状態を示す平面図である。
【図７】同押印用書類入れの押印状態を示す底面図である。
【図８】同押印用書類入れの閉状態を示す底面図である。
【図９】押印用書類入れの第二の例を示す斜視図である。
【図１０】同押印用書類入れの側面図である。
【発明を実施するための形態】
【００１１】
（１）第一の実施形態
図１に示す袋とじ書類１は、表紙１０と裏表紙１１とを含む複数枚の用紙１２が袋とじ部１３によって袋とじされて構成されている。そして、図２に示すように、袋とじ部１３の一部を含む裏表紙１１側には、裏表紙１１と袋とじ部１３との間にまたがった位置に、契印を押印するための第一押印箇所１４が設けられている。
【００１２】
図３に示すように、表紙１０及び裏表紙１１とは異なる複数枚の用紙１２の一部には、第二押印箇所１５が設けられている。第二押印箇所１５は、契約当事者の署名とともに捺印がなされる箇所である。
【００１３】
図４に示す押印用書類入れ２は、図１に示した袋とじ書類１を複数収容することができる書類入れであり、表紙２０と、複数の収容部２１と、裏表紙２２と、表紙２０と複数の収容部２１と裏表紙２２とを連結する連結部２３とを備えている。連結部２３としては、例えば製本テープを用いることができる。
【００１４】
図５に示すように、個々の収容部２０は、厚さ方向に貫通する窓部２０１が中心部に形成された枠体２００と、２つの枠体２００を連結する関節２０２とを有している。関節２０２は折り曲げ可能となっている。枠体２００に形成された窓部２０１は、収容する書類よりも小さく、図示の例では四角形状に形成されている。
【００１５】
平面状に形成された枠体２００の一方の面である一面２００ａの一部は、カバー部材２０３によって覆われている。すなわち、カバー部材２０３は、枠体２００を、その一部を露出させた状態で覆っている。
【００１６】
図５の例における２つのカバー部材２０３は、長方形の一部を切り欠いた台形状に形成されており、長辺部２０３ａ及び短辺部２０３ｂが枠体２００に連結され、それ以外の部分は枠体２００に連結されない状態となっている。短辺部２０３ｃ及び斜辺部２０３ｄを上方にめくって枠体２００とカバー部材２０３との間に隙間をつくり、その隙間から図１に示した袋とじ書類１を開いて滑りこませることにより、図６に示すように、収容部２０に袋とじ書類１を収容することができる。
【００１７】
具体的には、図３に示した第一押印箇所１５が露出するように袋とじ書類１を開き、図６に示すように、袋とじ部１３を上に向けた状態で、袋とじ書類１を収容部２０に収容する。そうすると、カバー部材２０３によって覆われていない部分において第一押印箇所１４が露出する。すなわち、カバー部材２０３は、第一押印箇所１４を露出させるように形成されている。
【００１８】
一方、収容部２０には窓部２０１が形成されているため、図７に示すように、図６に示した一面２００ａの裏側の面である反対面２００ｂ側においては、窓部２０１から第二押印箇所１５が露出する。このように、関節２０２を伸ばした状態では、書類１が開いて第一押印箇所１４及び第二押印箇所１５が露出して押印可能な状態となる。このように収容部２０が開いた状態を押印状態という。
【００１９】
一方、関節２０２を折り曲げると、図８に示すように、図６に示した一面２００ａ同士が対面して閉じた状態となり、これによって書類１を閉じた閉状態となる。そして、すべての関節２０２を折り曲げると、複数の書類をコンパクトに収容することができ、持ち運びもしやすい。また、閉状態においても第二押印箇所１５が窓部２０１から露出した状態は維持されているため、閉状態においても第二押印箇所１５への押印が可能である。
【００２０】
（２）第二の実施形態
図９に示す押印用書類入れ３は、複数の収容部３０と、隣り合う収容部３０の両端同士を屈曲可能に連結する連結部３１とを備えており、書類を収容する収容部３０が連結部３１によってジャバラ状に複数連結されて構成され、全体として複数の書類を収容可能とするとともに伸縮自在となっている。収容部３０には、図１に示した袋とじ書類１を収容することができる。
【００２１】
図１０に示すように、押印用書類入れ３を構成する個々の収容部３０は、第一の実施形態として示した収容部２０と同様に構成される。すなわち、図１０に示す収容部３０は、図５に示した枠体２００と窓部２０１と関節２０２とカバー部材２０３とを備えており、枠体２００とカバー部材２０３との間に書類を挟んだ状態で収容することができ、関節２０２をのばすことにより、カバー部材２０３によってカバーされていない位置において図２に示した第一押印箇所１４を露出させ、図５に示した窓部２０１において図３に示した第二押印箇所１５を露出させ、押印状態とすることができる。
【００２２】
また、押印用書類入れ３を構成する複数の収容部３０が押印状態となっていると、複数の書類の第一押印箇所１４が連続して同方向に露出し、第二押印箇所１５もその反対面において同方向に露出した状態となっているため、各書類を各収容部３０から取り出すことなく、露出した複数の第一押印箇所１４及び第二押印箇所１５に対して次々と連続して押印していくことができる。また、押印すべき複数の書類は、それぞれの収容部３０に収容されているため、書類ごとにその記載内容を確認して押印することができる。
【００２３】
一方、関節２０２を折り曲げて書類を閉じた閉状態においても、図８に示したように第二押印箇所１５が窓部２０１から露出した状態は維持されているため、第二押印箇所１５への押印が可能である。
【００２４】
なお、図９の例における両端の収容部３０については、窓部２０１は形成されていない。また、両端の収容部３０には、ストラップ３２及び留め具３３が設けられており、関節２０２及び収容部３０を折り曲げてストラップ３２を留め具３３に通して留めると、収容部３０を重ねて複数の書類を収容した状態となる。したがって、複数の書類をコンパクトに収容することができ、持ち運びもしやすい。
【符号の説明】
【００２５】
１：袋とじ書類
１０：表紙  １１：裏表紙  １２：用紙  １３：袋とじ部
１４：第一押印箇所  １５：第二押印箇所
２：押印用書類入れ
２０：表紙  ２１：収容部  ２２：裏表紙  ２３：連結部
２００：枠体  ２００ａ：一面  ２００ｂ：反対面
２０１：窓部  ２０２：関節
２０３：カバー部材  ２０３ａ：長辺部  ２０３ｂ、２０３ｃ：短辺部
２０３ｄ：斜辺部
３：押印用書類入れ
３０：収容部  ３１：連結部
３２：ストラップ  ３３：留め具
【図１】
2012066395.tif 000003
【図２】
2012066395.tif 000004
【図３】
2012066395.tif 000005
【図４】
2012066395.tif 000006
【図５】
2012066395.tif 000007
【図６】
2012066395.tif 000008
【図７】
2012066395.tif 000009
【図８】
2012066395.tif 000010
【図９】
2012066395.tif 000011
【図１０】
2012066395.tif 000012